(57)【要約】      （修正有）【課題】旧来のページ押さえ機能付ブックカバーは、ページ押さえ機能は大変便利であったが、ページを捲るのに問題があった。【解決手段】本考案は、左右両辺に垂下辺８を設けた長方平板７を、ページ押さえ機能付ブックカバーの、ページ押さえ平板５とすることにより、ページ押さえ機能付ブックカバーにおけるページ捲りの問題点を解決するものである。【効果】ページ押さえ平板を、本を読み始める時に一度装着すれば、本読みを終了するまで、装着したままでのページ捲りが可能となるので、ページを開いたままに保持する機能と共に、ページ捲りも大変簡単になる。【選択図】図９
0003103668.tif 000002
【実用新案登録請求の範囲】
【請求項１】
長方平板部（７）の左右両辺に、長方平板部（７）の平板面に沿って垂下した任意な形状及び形態からなる垂下辺部（８）が形成されたページ押さえ平板（５）と、ブックカバー部（４）に固定した書籍固定台（３）とを、着脱自在で組み合わせてなる、ページ押さえ機能付きブックカバー。
【考案の詳細な説明】
【技術分野】
【０００１】本考案は、ページ押さえ機能付きブックカバーについてなされたものである。
【背景技術】
【０００２】旧来のページ押さえ機能付きブックカバーは、本の表紙を保護する為だけに存在した従来のブックカバーに、ページ押さえ機能を付加したものである。
【考案の開示】
【考案が解決しようとする課題】
【０００３】旧来のページ押さえ機能付きブックカバーは、ブックカバー部に固定されてなる書籍固定台の、ページ押さえ平板装着溝に、単なる長方形状からなるページ押さえ平板を挿入固定することにより、本の開いたページを開いたままに保持することができた。  しかし、本を読み進めるにあたっては、ページを捲る度毎に、一旦、ページ押さえ平板を、ページ押さえ平板装着溝から取り外し、さらに、再度挿入しなおさなければならない煩わしさが残った。
【課題を解決するための手段】
【０００４】旧来のページ押さえ機能付きブックカバーに於けるページ捲りの問題点は、書籍固定台のページ押さえ平板装着溝に挿入装着される、単なる長方形状のページ押さえ平板に原因があった。  本考案は、ブックカバー部に固定された書籍固定台の、ページ押さえ平板装着溝に挿入装着される、ページ押さえ平板の形状を、長方平板部の左右両辺に、長方平板部の平面に沿って下方に垂下した任意な形状の平板部を形成した形状とすることにより、ページ捲りの問題点を解決するものである。
【考案の効果】
【０００５】  本考案からなるページ押さえ機能付きブックカバーは、ページ押さえ平板を、本を読み始める時に一度装着すれば、本読みを終了するまで、装着したままでのページ捲りが可能となるので、ページを開いたままに保持する機能と共に、ページ捲りも大変簡単になる。
【考案を実施するための最良の形態】
【０００６】旧来のページ押さえ機能付きブックカバーは、「図１」で示すように、プラスチックなどの合成樹脂などからなる、長方部材の前方とする一方に、突起部からなる前方ブックストッパー部（１）を形成し、  なおかつ、その長方部材の前方の突起部で形成された前方ブックストッパー部（１）の適宜な中間位に、長方部材と平行で前方面に向かう、意図する深さと適宜な溝寸法からなるページ押さえ平板装着溝（２）を設けて書籍固定台（３）とされている。  次に、その書籍固定台（３）は、「図２」で示すように、ビスや接着剤等で  ブックカバー部（４）の内側中央に結合固定して取り付けられている。  さらに、「図３」で示すように、プラスチックなどの合成樹脂などからなる、透明で適宜な長さの、幅寸法が、ページ押さえ平板装着溝（２）の深さ寸法より適宜に広く、板厚寸法が、ページ押さえ平板装着溝（２）に挿入合致する細長い定規のような単なる長方形の平板が、ページ押さえ平板（５）として用意されている。  そして、「図４」で示すように、ブックカバー部（４）と固定された書籍固定台（３）の上に、開いた状態の本（６）の上端を、前方ブックストッパー部（１）に当接した状態で載置しておいてから、ページ押さえ平板（５）を、ページ押さえ平板装着溝（２）に挿入装着すると、ページ押さえ平板（５）における短面方向の挿入残り幅寸法の、長手方向全面が、前方ブックストッパー部（１）より下方外側に張り出した状態で、本（６）の開いたページを押さえ保持する。  このように、旧来のページ押さえ機能付きブックカバーは、単なる長方形からなるページ押さえ平板（５）と、ブックカバー部（４）に固定された書籍固定台（３）との、着脱自在の組み合わせによって、ページ押さえ機能付きブックカバーとされていた。  この、旧来のページ押さえ機能付きブックカバーは、単なる長方形からなるページ押さえ平板（５）の、前方ブックストッパー部（１）から下方に張り出した短面方向幅の長手全面で、本（６）の開いたページを押さえるため、開いたページを次ページに捲るときは、その構造上、どうしても、ページを捲る毎に、ページ押さえ平板装着溝（２）に挿入装着したページ押さえ平板（５）を、  一旦抜き取ってから、再び、ページ押さえ平板装着溝（２）に挿入装着しなおさなければならなかったので、ページ捲りが大変面倒であった。【０００７】  本考案は、この旧来のページ押さえ機能付きブックカバーに於ける、ページ捲りの問題点を、ページ押さえ平板の形状を変更することにより解決しようとするもので、第一実施例、第二実施例、第三実施例、第四実施例、からなる。【０００８】  まず初めに、第一実施例からなる本考案のページ押さえ機能付きブックカバーを詳しく図面を用いて説明するに、ブックカバー部（４）に固定される書籍固定台（３）のページ押さえ平板装着溝（２）が、旧来方式と同様の、書籍固定台（３）における前方ブックストッパー部（１）とする突起部の前方に向かって、書籍固定台（３）と平行に設けられている場合は、ページ押さえ平板（５）は、「図５」で示すように、適宜な長さ寸法と幅寸法で、材厚はページ押さえ平板装着溝（２）に挿入合致する寸法の長方平板部（７）と、その長方平板部（７）の左右���辺には、長方平板部（７）の平板面に沿って、下方とする一方に垂下した任意な形状の垂下辺部（８）を形成した形状とし、  なおかつ、その長方平板部（７）の中間位には、短面方向で上辺とする一方から下辺とする方に向かって、横寸法が、書籍固定台（３）における前方ブックストッパー部（１）が容易に入り込む寸法で、深さ寸法は、ページ押さえ平板装着溝（２）の溝の深さ寸法に応じ、長方平板部（７）の長手下辺面が、前方ブックストッパー部（１）の後方面より、はみ出さないように、平面的位置が上方に位置する寸法になる寸法で切欠き部（９）を設ける。  そして、「図６」で示すように、長方平板部（７）の左右両辺に、長方平板部（７）の平板面に沿って垂下した任意な形状からなる垂下辺部（８）を形成し、なおかつ、その長方平板部（７）の中間位に切欠き部（９）を設けてなるページ押さえ平板（５）を、ブックカバー部（４）に固定された書籍固定台（３）における前方ブックストッパー部（１）のページ押さえ平板挿入溝（２）に、切欠き部（９）を合致させながら挿入装着する。  これをもって、長方平板部（７）の左右両辺に、長方平板部（７）の平板面に沿って垂下した任意な形状からなる垂下辺部（８）を形成し、なおかつ、その長方平板部（７）の中間位に切欠き部（９）を設けてなるページ押さえ平板（５）と、ブックカバー部（４）に固定された書籍固定台（３）とを、着脱自在で組み合わせてなる、本考案の第一実施例からなる、ページ押さえ機能付きブックカバーとするものである。  本考案の第一実施例からなるページ押さえ機能付きブックカバーは、ページ押さえ平板（５）における、左右両辺に垂下した任意な形状の垂下辺部（８）だけで、しっかりと本（６）の開いたページを押さえ、  なおかつ、長方平板部（７）は、本のページ捲りに干渉しない位置に位置されて装着される。【０００９】  次に、本考案の第二実施例からなるページ押さえ機能付きブックカバーを説明するに、「図７」で示すように、書籍固定台（３）のページ押さえ平板装着溝（２）が、書籍固定台（３）における前方ブックストッパー部（１）とする突起部の前方面から後方面に向かって書籍固定台（３）と平行に設けた場合は、「図８」で示すように、適宜な長さ寸法と幅寸法で、材厚はページ押さえ平板装着溝（２）に挿入合致する寸法の長方平板部（７）の左右両辺に，長方平板部（７）の平板面に沿って、下方とする一方に垂下した任意な形状の垂下辺部（８）を形成して、ページ押さえ平板（５）とする。  そして、「図９」で示すように、ブックカバー部（４）に固定された書籍固定台（３）のページ押さえ平板装着溝（２）に、長方平板部（７）の左右両辺に垂下した任意な形状の垂下辺部（８）を形成してなるページ押さえ平板（５）を挿入装着し、  これをもって、長方平板部（７）の左右両辺に垂下した任意な形状の垂下辺部（８）を形成してなるページ押さえ平板（５）と、ブックカバー部（４）に固定された書籍固定台（３）とを、着脱自在で組み合わせてなる、本考案の第二実施例からなるページ押さえ機能付きブックカバーとする。  本考案の第二実施例からなるページ押さえ機能付きブックカバーは、ページ押さえ平板（５）の中間位に切り欠き部（９）を設け���くても、左右両辺に垂下した任意な形状の垂下辺部（８）だけでしっかりと本（６）の開いたページを押さえ、なおかつ、長方平板部（７）の全てが、本のページ捲りに干渉しない位置に位置されて装着される。  なお、第二実施例では、ページ押さえ平板（５）に於ける長方平板部（７）の中間位の下辺面から上辺面に向けて、切り欠き部（８）を設けても一向に構わないものである。【００１０】  次に、本考案の第三実施例からなるページ押さえ機能付きブックカバーを説明するに、「図１０」で示すように、適宜な長さ寸法と幅寸法で、材厚はページ押さえ平板装着溝（２）に挿入合致する寸法の長方平板部（７）の左右両辺に、意図する任意な形状の垂下辺部（８）を、リベット等の枢着部材（１０）で、回動自在に取り付け，これをもって、ページ押さえ機能付きブックカバーのページ押さえ平板（５）とする。  そして、「図１１」で示すように、長方平板部（７）の左右両辺に、意図する任意な形状の垂下辺部（８）を、リベット等の枢着部材（１０）で回動自在に枢着して取り付けてなるページ押さえ平板（５）を、ブックカバー部（４）に固定された書籍固定台（３）における前方ブックストッパー部（１）のページ押さえ平板挿入溝（２）に挿入装着する。  これをもって、長方平板部（７）の左右両辺に、意図する任意な形状の垂下辺部（８）を、リベット等の枢着部材（１０）で回動自在に枢着して取り付けてなるページ押さえ平板（５）と、ブックカバー部（４）に固定された書籍固定台（３）とを、着脱自在で組み合わせてなる、本考案の第三実施例からなる、ページ押さえ機能付きブックカバーとする。  本考案の第三実施例からなるページ押さえ機能付きブックカバーは、左右両辺に設けた回動自在の垂下辺部（９）だけで、本（６）の開いたページの、回動範囲内の任意な位置を押さえ、なおかつ、長方平板部（７）の全てが、本（６）のページ捲りに干渉しない位置に位置されて装着される。  なお、第三実施例からなるページ押さえ平板（５）における長方平板部（７）の中間位に、切欠き部（９）を、設ける、設けないは、書籍固定台（３）のページ押さえ平板装着溝（２）の設定形態に応じ、任意とするものである。【００１１】  次に、本考案の第四実施例からなるページ押さえ機能付きブックカバーを説明するに、第一実施例、第二実施例、第三実施例に供されるページ押さえ平板（５）を、「図１２」で示すような、長方平板部（７）の左右両辺に垂下して設けた垂下辺部（８）の、それぞれの内側の一部の面を、上向きの反り曲げ部（１１）を形成した形状とし、これをもって、ページ押さえ機能付きブックカバーのページ押さえ平板（５）とする。  そして、図面は省略するが、「図１１」で示したように、垂下辺部（８）の、それぞれの内側の一部の面を、上向きの反り曲げ部（１１）としたページ押さえ平板（５）と、ブックカバー部（４）に固定された書籍固定台（３）とを、着脱自在で組み合わせて、本考案の第四実施例からなる、ページ押さえ機能付きブックカバーとする。  本考案の第四実施例からなるページ押さえ機能付きブックカバーは、ページ捲りの際の、ページの抜き差しが一段とスムーズに行える。【００１２】  このように、第一実施例、第二実施例、��三実施例、第四実施例からなる、本考案によるページ押さえ機能付きブックカバーは、ページ押さえ平板（５）の左右両辺に設けた任意な形状及び形態からなる垂下辺部（８）だけでページを押さえるようにしたのを大きな特徴とするので、本（６）を読み進めてページを捲るときは、捲るページの端を、ページ押さえ平板（５）の、一方の垂下辺部（８）から引き抜き、そのまま反対側に捲り進めて裏返し、さらに、捲くり裏返したページの端を、もう一方の垂下辺部（８）の下に滑り込ませてやれば、ページ捲りとページ押さえが同時に完了する。  それから、第一実施例、第二実施例、第三実施例、第四実施例、では、前方ブックストッパー部（１）に設けられる平板装着溝（２）の設定は、前方ブックストッパー部（１）の前方面又は後方面から挿入口を設けた形態としてあるが、その他、前方ブックストッパー部（１）の前後左右３６０度に、挿入口を周設した形態などでも一向に構わないものである。  又、書籍固定台（３）、及び、ページ押さえ平板（５）の構成材は、プラスチックなどの合成樹脂材の他、竹材や木材、アルミなどの軽量金属材など、任意とするものである。
【産業上の利用の可能性】
【００１３】
【図面の簡単な説明】
【００１４】
【図１】旧来の、書籍固定台を示した斜視図。
【図２】旧来の、ブックカバーに書籍固定台を固定したのを示した斜視図。
【図３】旧来の、ページ押さえ平板を示した斜視図。
【図４】旧来の、ページ押さえ機能付ブックカバーを示した斜視図。
【図５】本考案の、第一実施例におけるページ押さえ平板を示した斜視図。
【図６】本考案の、第一実施例からなるページ押さえ機能付ブックカバーを示した斜視図。
【図７】本考案の、第二実施例における書籍固定台を示した斜視図
【図８】本考案の、第二実施例におけるページ押さえ平板を示した斜視図。
【図９】本考案の、第二実施例からなるページ押さえ機能付ブックカバーを示した斜視図。
【図１０】本考案の、第三実施例からなるページ押さえ機能付ブックカバーを示した斜視図。
【図１１】本考案の、第三実施例からなるページ押さえ機能付ブックカバーを示した斜視図。
【図１２】本考案からなるページ押さえ機能付ブックカバーに於けるページ押さえ平板（５）の垂下辺部（８）に、上向き反り曲げ部（１１）を設けた形状としたのを、第三実施例からなるページ押さ平板を参考実施例として示した斜視図。
【語句の説明】
（１）  前方ブクストッパー部    （２）  ページ押さえ平板装着溝    （３）  書籍固定台    （４）  ブックカバー部    （５）  ページ押さえ平板    （６）  本    （７）  長方平板部    （８）  垂下辺部    （９）  切り欠き部    （１０）枢着部材    （１１）上向きの反り曲げ部
【図１】
0003103668.tif 000003
【図２】
0003103668.tif 000004
【図３】
0003103668.tif 000005
【図４】
0003103668.tif 000006
【図５】
0003103668.tif 000007
【図６】
0003103668.tif 000008
【図７】
0003103668.tif 000009
【図８】
0003103668.tif 000010
【図９】
0003103668.tif 000011
【図１０】
0003103668.tif 000012
【図１１】
0003103668.tif 000013
【図１２】
0003103668.tif 000014